【手続補正書】
【提出日】平成19年4月24日(2007.4.24)
【手続補正１】
【補正対象書類名】明細書
【補正対象項目名】特許請求の範囲
【補正方法】変更
【補正の内容】
【特許請求の範囲】
【請求項１】  携帯端末を所持する利用者の健康を管理する健康管理システムであって、
利用者が携帯して所持するように構成されており、
所定の無線通信網にアクセスする無線通信手段、
前記利用者の個人に関する情報を格納する記憶手段、及び
前記利用者の健康管理をサポートする入出力デバイス、を備えた携帯端末と、
前記携帯端末を所持する利用者について、前記個人に関する情報を格納する個人情報記憶手段、
医療機関、薬品販売店、薬剤及び前記入出力デバイスに関する情報を格納する医療情報記憶手段、及び
前記無線通信網を介して前記携帯端末と通信するための通信手段、を備えたデータベースと、
前記医療機関に設置され、前記データベースと接続された医療機関端末と、
前記薬品販売店に設置され、前記データベースと接続された販売店端末と、
を含み、
前記データベースに、前記携帯端末、前記医療機関端末及び前記販売店端末のそれぞれに対して、前記個人情報記憶手段及び前記医療情報記憶手段に格納されている情報の項目毎にアクセス権を設定することを特徴とする健康管理システム。
【請求項２】  前記個人に関する情報が、前記利用者のカルテ及び処方箋の情報を含むことを特徴とする請求項１に記載の健康管理システム。
【請求項３】  前記携帯端末の前記記憶手段は取り外し可能なメモリカードであり、前記医療機関端末及び前記販売店端末に該メモリカードを挿入するためのスロットが設けられており、該スロットに前記メモリカードが挿入されているときだけ、これらの端末から前記個人に関する情報を更新することが可能であることを特徴とする請求項１に記載の健康管理システム。
【請求項４】  前記入出力デバイスが、薬剤を微小液滴として吐出して前記利用者に吸入させる吸入器であり、前記個人に関する情報が、前記吸入器によって投与された薬剤の情報を含むことを特徴とする請求項１に記載の健康管理システム。
【請求項５】  前記入出力デバイスが、前記利用者の健康状態の指標となる値を測定する測定器を含むことを特徴とする請求項１に記載の健康管理システム。
【請求項６】  前記個人に関する情報は前記利用者の認証データを含み、該認証データによる個人認証がなされてから前記携帯端末から前記データベースへのアクセスが可能となることを特徴とする請求項１に記載の健康管理システム。
【請求項７】  薬品製造会社に設置され、前記データベースと接続された製薬会社端末を更に含むことを特徴とする請求項１に記載の健康管理システム。
【請求項８】  携帯端末を所持する利用者の健康を管理する健康管理方法であって、
利用者が携帯して所持するように構成されており、所定の無線通信網にアクセスする無線通信手段、前記利用者の個人に関する情報を格納する記憶手段、及び前記利用者の健康管理をサポートする入出力デバイス、を備えた携帯端末と、
前記携帯端末を所持する前記利用者それぞれについて、前記個人に関する情報を格納する個人情報記憶手段、医療機関、薬品販売店、薬剤及び前記入出力デバイスに関する情報を格納する医療情報記憶手段、及び前記無線通信網を介して前記携帯端末と通信するための通信手段、を備えたデータベースと、
前記医療機関に設置され、前記データベースと接続された医療機関端末と、
前記薬品販売店に設置され、前記データベースと接続された販売店端末と、を有し、
前記データベースにおいて、前記携帯端末、前記医療機関端末及び前記販売店端末のそれぞれに対して、前記個人情報記憶手段及び前記医療情報記憶手段に格納されている情報の項目毎にアクセス権を設定することを特徴とする健康管理方法。
【請求項９】  前記個人に関する情報が、前記利用者のカルテ及び処方箋の情報を含むことを特徴とする請求項８に記載の健康管理方法。
【請求項１０】  前記携帯端末の記憶手段は取り外し可能なメモリカードであり、前記医療機関端末及び前記販売店端末に該メモリカードを挿入するためのスロットを設け、該スロットに前記メモリカードが挿入されているときだけ、前記個人に関する情報を更新することを可能とすることを特徴とする請求項８に記載の健康管理方法。
【請求項１１】  前記入出力デバイスが、薬剤を微小液滴として吐出して前記利用者に吸入させる吸入器であり、前記個人に関する情報が、前記吸入器によって投与された薬剤の情報を含むことを特徴とする請求項８に記載の健康管理方法。
【請求項１２】  前記入出力デバイスが、前記利用者の健康状態の指標となる値を測定する測定器を含むことを特徴とする請求項８に記載の健康管理方法。
【請求項１３】  前記個人に関する情報は前記利用者の認証データを含み、該認証データによる個人認証がなされてから前記携帯端末から前記データベースへのアクセスを可能とすることを特徴とする請求項８に記載の健康管理方法。
【手続補正２】
【補正対象書類名】明細書
【補正対象項目名】００１８
【補正方法】変更
【補正の内容】
【００１８】
【課題を解決するための手段】
上記目的を達成するために本発明の健康管理システムは、
携帯端末を所持する利用者の健康を管理する健康管理システムであって、
利用者が携帯して所持するように構成されており、
所定の無線通信網にアクセスする無線通信手段、
前記利用者の個人に関する情報を格納する記憶手段、及び
前記利用者の健康管理をサポートする入出力デバイス、を備えた携帯端末と、
前記携帯端末を所持する利用者について、前記個人に関する情報を格納する個人情報記憶手段、
医療機関、薬品販売店、薬剤及び前記入出力デバイスに関する情報を格納する医療情報記憶手段、及び
前記無線通信網を介して前記携帯端末と通信するための通信手段、を備えたデータベースと、
前記医療機関に設置され、前記データベースと接続された医療機関端末と、
前記薬品販売店に設置され、前記データベースと接続された販売店端末と、
を含み、
前記データベースに、前記携帯端末、前記医療機関端末及び前記販売店端末のそれぞれに対して、前記個人情報記憶手段及び前記医療情報記憶手段に格納されている情報の項目毎にアクセス権を設定する。
【手続補正３】
【補正対象書類名】明細書
【補正対象項目名】００１９
【補正方法】変更
【補正の内容】
【００１９】
また、上記目的を達成する本発明の健康管理方法は、
携帯端末を所持する利用者の健康を管理する健康管理方法であって、
利用者が携帯して所持するように構成されており、所定の無線通信網にアクセスする無線通信手段、前記利用者の個人に関する情報を格納する記憶手段、及び前記利用者の健康管理をサポートする入出力デバイス、を備えた携帯端末と、
前記携帯端末を所持する前記利用者それぞれについて、前記個人に関する情報を格納する個人情報記憶手段、医療機関、薬品販売店、薬剤及び前記入出力デバイスに関する情報を格納する医療情報記憶手段、及び前記無線通信網を介して前記携帯端末と通信するための通信手段、を備えたデータベースと、
前記医療機関に設置され、前記データベースと接続された医療機関端末と、
前記薬品販売店に設置され、前記データベースと接続された販売店端末と、を有し、
前記データベースにおいて、前記携帯端末、前記医療機関端末及び前記販売店端末のそれぞれに対して、前記個人情報記憶手段及び前記医療情報記憶手段に格納されている情報の項目毎にアクセス権を設定する。